(57)【要約】  一実施形態に係る便器用足置き台は、使用者の左足を置く左側足置き台、前記使用者の右足を置く右側足置き台、および前記左側足置き台および前記右側足置き台を互いに連結させる連結フレームを含み、前記左側足置き台および前記右側足置き台それぞれは、前記使用者の足裏の前部分および後部分を互いに異なる高さに位置させ、前記連結フレームは、前記左側足置き台および前記右側足置き台それぞれの外壁に形成された溝と上下に締結する締結溝を含む。  また、便器用足置き台は、前記使用者の足を置く高さを調節するために、前記左側足置き台および前記右側足置き台それぞれの基本層の下部に結合させる高さ調節層をさらに含んでよい。
2019506986.tif 000002
【特許請求の範囲】
【請求項１】
便器用足置き台であって、
使用者の左足を置く左側足置き台、
前記使用者の右足を置く右側足置き台、
および前記左側足置き台および前記右側足置き台を互いに連結させる連結フレーム
を含み、
前記左側足置き台および前記右側足置き台それぞれは、
前記使用者の足裏の前部分および後部分を互いに異なる高さに位置させ、
前記連結フレームは、
前記左側足置き台および前記右側足置き台それぞれの外壁に形成された溝と上下に締結される締結溝を含む、便器用足置き台。
【請求項２】
前記締結溝は、
前記左側足置き台および前記右側足置き台の幅間を調節するように、前記連結フレーム上に複数が形成される、請求項１に記載の便器用足置き台。
【請求項３】
前記左側足置き台および前記右側足置き台それぞれは、
前記使用者の足裏の前部分を支持する第１支持部材、
前記使用者の足裏の中間部分を支持する第２支持部材、および
前記使用者の足裏の後部分を支持する第３支持部材
を含み、
前記第１支持部材は、前記第３支持部材よりも低く形成される、請求項１に記載の便器用足置き台。
【請求項４】
前記第２支持部材は、
前記第１支持部材および前記第３支持部材を連結するように傾いて形成される、請求項３に記載の便器用足置き台。
【請求項５】
前記第２支持部材は、
前記使用者の足裏の中間部分が密着するように曲線型に形成される、請求項４に記載の便器用足置き台。
【請求項６】
前記第１支持部材、前記第２支持部材、または前記第３支持部材のうちの少なくともいずれか１つの表面には、
前記使用者の足裏の滑りを防ぐための突起が形成される、請求項３に記載の便器用足置き台。
【請求項７】
前記第１支持部材または前記第３支持部材のうちの少なくともいずれか１つは、
地面に対して水平に形成される、請求項３に記載の便器用足置き台。
【請求項８】
前記第１支持部材は、
前記使用者の足裏の前部分が折れ曲がる角度に基づき、地面に対して微細に傾くように形成される、請求項７に記載の便器用足置き台。
【請求項９】
前記第１支持部材は、
前記使用者の足裏の前部分のずれ落ちることを防ぐずれ止めストッパ含む、請求項３に記載の便器用足置き台。
【請求項１０】
前記左側足置き台および前記右側足置き台それぞれは、
前記使用者の足が置かれる高さを調節するために、前記第１支持部材、前記第２支持部材、および前記第３支持部材が形成される基本層の下部に結合させる高さ調節層をさらに含む、請求項３に記載の便器用足置き台。
【請求項１１】
前記高さ調節層は、
複数が備えられ、前記基本層の下部に複数で結合する、請求項１０に記載の便器用足置き台。
【請求項１２】
前記締結溝は、
前記高さ調節層の外壁に形成された溝と上下に締結する、請求項１０に記載の便器用足置き台。
【請求項１３】
前記左側足置き台および前記右側足置き台それぞれは、
前記左側足置き台および前記右側足置き台それぞれの底面に結合し、滑りを防ぐ滑り止め手段をさらに含む、請求項１に記載の便器用足置き台。
【請求項１４】
前記連結フレームは、
前記左側足置き台および前記右側足置き台の幅間または角度のうちの少なくともいずれか１つを調節するように、少なくともいずれか１つのフレームで構成される、請求項１に記載の便器用足置き台。
【請求項１５】
前記連結フレームが複数のフレームで構成される場合、前記複数のフレームは、
互いにヒンジ結合する、請求項１４に記載の便器用足置き台。
【請求項１６】
便器用足置き台であって、
使用者の左足と右足の両足を置く足置き台（前記足置き台は、前記左足を置く部分および前記右足を置く部分が互いに分離せずに、１つで形成される）
を含み、
前記足置き台は、
前記使用者の足裏の前部分を支持する第１部材、
前記使用者の足裏の中間部分を支持する第２支持部材、および
前記使用者の足裏の後部分を支持する第３支持部材
を含み、
前記第１支持部材、前記第２支持部材、および前記第３支持部材を利用し、前記使用者の足裏の前部分および後部分を互いに異なる高さに位置させる、便器用足置き台。
【発明の詳細な説明】
【技術分野】
【０００１】
本発明は、便器用足置き台に関し、より詳細には、座便器を利用する使用者のための便器用足置き台に関する。
【背景技術】
【０００２】
近年に広く使用されている座便器は、使用者が座便器に座った状態で排便をするように設計されている。このとき、使用者は、大腿部と上体の角度が広がった排便姿勢で座便器を利用するため、臀部の筋肉は収縮した状態を維持し続けるようになる。
【０００３】
これにより、使用者の臀部筋肉には緊張状態が続くようになるが、これは、使用者の排便障害、さらには便秘の原因になる恐れもある。
【発明の概要】
【発明が解決しようとする課題】
【０００４】
以下の実施形態は、座便器を利用する使用者の臀部筋肉を弛緩させる排便姿勢を誘導することによって排便を促進させる、便器用足置き台を提案する。
【課題を解決するための手段】
【０００５】
一実施形態は、そんきょ姿勢の効果を利用することにより、使用者の臀部筋肉を弛緩させる排便姿勢を誘導する、便器用足置き台を提供する。
【０００６】
具体的に、一実施形態は、排便姿勢として、使用者の足裏の前部分および後部分を互いに異なる高さに位置させることで、そんきょ姿勢の効果を利用する、便器用足置き台を提供する。
【０００７】
また、一実施形態は、排便姿勢として、使用者の足裏を密着させて滑りを防ぐ、便器用足置き台を提供する。
【０００８】
また、一実施形態は、排便姿勢として、使用者の足を載置する高さを調節する、便器用足置き台を提供する。
【０００９】
また、一実施形態は、排便姿勢として、使用者の足の幅間または角度のうちの少なくともいずれか１つを調節する、便器用足置き台を提供する。
【００１０】
特に、一実施形態は、左側足置き台および右側足置き台それぞれを連結フレームに結合させた後、使用者が使用するときに連結フレームが離脱することを防ぐ、便器用足置き台を提供する。
【００１１】
一実施形態によると、便器用足置き台は、使用者の左足を置く左側足置き台、前記使用者の右足を置く右側足置き台、および前記左側足置き台および前記右側足置き台を互いに連結させる連結フレームを含み、前記左側足置き台および前記右側足置き台それぞれは、前記使用者の足裏の前部分および後部分を互いに異なる高さに位置させ、前記連結フレームは、前記左側足置き台および前記右側足置き台それぞれの外壁に形成された溝と上下に締結する締結溝を含む。
【００１２】
前記締結溝は、前記左側足置き台および前記右側足置き台の幅間を調節できるように前記連結フレーム上に複数が形成されてよい。
【００１３】
前記左側足置き台および前記右側足置き台それぞれは、前記使用者の足裏の前部分を支持する第１支持部材、前記使用者の足裏の中間部分を支持する第２支持部材、および前記使用者の足裏の後部分を支持する第３支持部材を含み、前記第１支持部材は、前記第３支持部材よりも低く形成されてよい。
【００１４】
前記第２支持部材は、前記第１支持部材および前記第３支持部材を連結するように傾いて形成されてよい。
【００１５】
前記第２支持部材は、前記使用者の足裏の中間部分が密着するように曲線型に形成されてよい。
【００１６】
前記第１支持部材、前記第２支持部材、または前記第３支持部材のうちの少なくともいずれか１つの表面には、前記使用者の足裏の滑りを防ぐための突起が形成されてよい。
【００１７】
前記第１支持部材または前記第３支持部材のうちの少なくともいずれか１つは、地面に対して水平に形成されてよい。
【００１８】
前記第１支持部材は、前記使用者の足裏の前部が折り曲がる角度に基づき、地面に対して微細に傾くように形成されてよい。
【００１９】
前記第１支持部材は、前記使用者の足裏の前部分がずれ落ちないようにするずれ止めストッパを含んでよい。
【００２０】
前記左側足置き台および前記右側足置き台それぞれは、前記使用者の足が置かれる高さを調節するために、前記第１支持部材、前記第２支持部材、および前記第３支持部材が形成される基本層の下部に結合させる高さ調節層をさらに含んでよい。
【００２１】
前記高さ調節層は、複数が備えられ、前記基本層の下部に複数で結合されてよい。
【００２２】
前記締結溝は、前記高さ調節層の外壁に形成された溝と上下に締結されてよい。
【００２３】
前記左側足置き台および前記右側足置き台それぞれは、前記左側足置き台および前記右側足置き台それぞれの底面に結合して滑りを防ぐ、滑り防止手段をさらに含んでよい。
【００２４】
前記連結フレームは、前記左側足置き台および前記右側足置き台の幅間または角度のうちの少なくともいずれか１つを調節するように、少なくともいずれか１つのフレームで構成されてよい。
【００２５】
前記連結フレームが複数のフレームで構成される場合、前記複数のフレームは、互いにヒンジ結合してよい。
【００２６】
一実施形態によると、便器用足置き台は、使用者の左足と右足の両足を置く足置き台（前記足置き台は、前記左足を置く部分および前記右足を置く部分が互いに分離せずに、１つで形成される）を含み、前記足置き台は、前記使用者の足裏の前部分を支持する第１部材、前記使用者の足裏の中間部分を支持する第２支持部材、および前記使用者の足裏の後部分を支持する第３支持部材を含み、前記第１支持部材、前記第２支持部材、および前記第３支持部材を利用し、前記使用者の足裏の前部分および後部分を互いに異なる高さに位置させる。
【発明の効果】
【００２７】
一実施形態は、そんきょ姿勢の効果を利用することにより、使用者の臀部筋肉を弛緩させる排便姿勢を誘導する、便器用足置き台を提供することができる。
【００２８】
具体的に、一実施形態は、排便姿勢として、使用者の足裏の前部分および後部分を互いに異なる高さに位置させることで、そんきょ姿勢の効果を利用する、便器用足置き台を提供することができる。
【００２９】
したがって、一実施形態は、座便器で排便を促進させる、便器用足置き台を提供することができる。
【００３０】
また、一実施形態は、排便姿勢として、使用者の足裏を密着させて滑りを防ぐ、便器用足置き台を提供することができる。
【００３１】
また、一実施形態は、排便姿勢として、使用者の足が置かれる高さを調節する、便器用足置き台を提供することができる。
【００３２】
また、一実施形態は、排便姿勢として、使用者の足の幅間または角度のうちの少なくともいずれか１つを調節する、便器用足置き台を提供することができる。
【００３３】
したがって、一実施形態は、排便を促進させる排便姿勢を誘導する過程において、使用者の便宜を図った便器用足置き台を提供することができる。
【００３４】
特に、一実施形態は、左側足置き台および右側足置き台それぞれを連結フレームに結合させた後、使用者が使用するときに連結フレームが離脱することを防ぐ、便器用足置き台を提供することができる。
【図面の簡単な説明】
【００３５】
【図１】一実施形態における、座便器を基準に便器用足置き台が配置された状態を示した図である。
【図２】一実施形態における、便器用足置き台を示した図である。
【図３ａ】一実施形態における、便器用足置き台に含まれる基本層を具体的に示した図である。
【図３ｂ】一実施形態における、便器用足置き台に含まれる基本層を具体的に示した図である。
【図３ｃ】一実施形態における、便器用足置き台に含まれる基本層を具体的に示した図である。
【図４】一実施形態における、便器用足置き台に含まれる高さ調節層を説明するための図である。
【図５ａ】一実施形態における、便器用足置き台に含まれる連結フレームを示した図である。
【図５ｂ】一実施形態における、連結フレームを左側足置き台および右側足置き台それぞれに結合させる方式を説明するための図である。
【図６】一実施形態における、便器用足置き台に含まれる滑り止め手段を示した図である。
【発明を実施するための形態】
【００３６】
以下、本発明に係る実施形態について、添付の図面を参照しながら詳細に説明する。しかし、本発明が実施形態によって制限されたり限定されたりすることはない。また、各図面に提示された同一の参照符号は、同一の部材を示す。
【００３７】
また、本明細書において使用される用語（ｔｅｒｍｉｎｏｌｏｇｙ）は、本発明の好ましい実施形態を適切に表現するために使用された用語であるが、これは、使用者、運用者の意図、または本発明が属する分野の慣例などによって異なることがある。したがって、本用語に関する定義は、本明細書の全般的な内容に基づいて下されなければならない。
【００３８】
図１は、一実施形態における、座便器を基準に便器用足置き台が配置された状態を示した図である。
【００３９】
図１を参照すると、一実施形態に係る便器用足置き台１００は、左側足置き台１１０、右側足置き台１２０、左側足置き台１１０および右側足置き台１２０を互いに連結させる連結フレーム１３０を含むように構成され、使用者が座便器１４０に座ったときに使用者の左右の足が置かれる位置に配置されてよい。
【００４０】
例えば、使用者が座便器１４０に座った状態で、便器用足置き台１００の左側足置き台１１０には使用者の左足が、右側足置き台１２０には使用者の右足が載置されてよい。
【００４１】
ここで、連結フレーム１３０は、締結溝１３１を含むことにより、左側足置き台１１０および右側足置き台１２０それぞれと結合する。特に、連結フレーム１３０には、複数の締結溝１３１が形成されることにより、左側足置き台１１０および右側足置き台１２０の幅間を調節することができる。また、連結フレーム１３０は、ヒンジ結合１３２する複数のフレームで構成されることにより、左側足置き台１１０および右側足置き台１２０の幅間または角度のうちの少なくともいずれか１つを調節することができる。
【００４２】
以下、ヒンジ結合１３２とは、複数のフレームがヒンジ結合１３２のポイントを中心として水平方向に自由に回転することはできるが、垂直方向の離脱移動または水平方向の離脱移動は固定させた結合方式を意味する。
【００４３】
したがって、左側足置き台１１０および右側足置き台１２０の幅間または角度のうちの少なくともいずれか１つが連結フレーム１３０によって調節されることにより、左側足置き台１１０および右側足置き台１２０それぞれが座便器１４０を基準に配置される位置または方向が決定されるようになる。これについての詳細な説明は、図５ａ〜図５ｂを参照しながら記載する。
【００４４】
このように、座便器１４０を基準として任意の位置に配置される便器用足置き台１００は、使用者の足裏の前部分および後部分を互いに異なる高さに位置させることにより、そんきょ姿勢の効果を利用して使用者の臀部筋肉を弛緩させる排便姿勢を誘導することができる。これについての詳細な説明は、図３ａ〜図３ｃを参照しながら記載する。
【００４５】
図２は、一実施形態における、便器用足置き台を示した図である。
【００４６】
図２を参照すると、一実施形態に係る便器用足置き台２００の左側足置き台２１０および右側足置き台２２０それぞれは、使用者の足裏の前部分および後部分を互いに異なる高さに位置させるように構成された基本層２３０、および基本層２３０の下部に結合する高さ調節層２４０を含む。基本層２３０についての詳細な説明は、図３ａ〜図３ｃを参照しながら記載する。
【００４７】
このとき、高さ調節層２４０は、基本層２３０の下部に適応的に結合させて使用者の足を載置する高さを調節することにより、便器用足置き台２００を利用する使用者の身長または脚の長さなどのような身体的構造を考慮しながら排便姿勢を誘導することができる。
【００４８】
これについての詳細な説明は、図４を参照しながら記載する。
【００４９】
ここで、連結フレーム２５０は、左側足置き台２１０および右側足置き台２２０それぞれの高さ調節層２４０を互いに連結してよい。左側足置き台２１０および右側足置き台２２０それぞれから高さ調節層２４０が取り除かれて基本層２３０だけが配置された場合には、連結フレーム２５０が左右の基本層２３０を互いに連結してよい。
【００５０】
また、左側足置き台２１０および右側足置き台２２０それぞれの高さ調節層２４０の底面には、滑りを防ぐ滑り止め手段２６０が結合されてよい。
【００５１】
このとき、図面には、滑り止め手段２６０が左側足置き台２１０および右側足置き台２２０それぞれの高さ調節層２４０の底面の前方に結合された場合が示されているが、これに制限されたり限定されたりすることはなく、高さ調節層２４０の底面の後方に結合されてもよい。また、滑り止め手段２６０は、左側足置き台２１０および右側足置き台２２０それぞれの基本層２３０の底面の前方または後方に結合されてもよい。これについての詳細な説明は、図６を参照しながら記載する。
【００５２】
図面には示していないが、便器用足置き台は、左側足置き台２１０および右側足置き台２２０で構成される他にも、使用者の左足と右足の両足を１つの足置き台に載置する構造で構成されてもよい。すなわち、１つの足置き台は、使用者の左足を置く部分および右足を置く部分が互いに分離しておらず、１つで形成されてよい。
【００５３】
このような場合にも、１つの足置き台は、使用者の足裏の前部分および後部分を互いに異なる高さに位置させるように構成された基本層、および基本層の下部に結合させる高さ調節層を含んでよい。また、１つの足置き台に含まれる高さ調節層（または基本層）の底面の前方または後方には、滑り止め手段２６０が結合されてよい。ただし、便器用足置き台が１つの足置き台で構成される場合、便器用足置き台は、連結フレーム２５０を含む必要はない。
【００５４】
図３ａ〜図３ｃは、一実施形態における、便器用足置き台に含まれる基本層を具体的に示した図である。より詳細に、図３ａは基本層を示した斜視図であり、図３ｂは基本層を示した上面図であり、図３ｃは基本層を示した側面図である。
【００５５】
図３ａ〜図３ｃを参照すると、一実施形態に係る便器用足置き台に含まれる左側足置き台および右側足置き台３００それぞれは、使用者の足裏の前部分を支持する第１支持部材３１０、使用者の足裏の中間部分を支持する第２支持部材３２０、および使用者の足裏の後部分を支持する第３支持部材３３０を含んでよい。
【００５６】
以下、使用者の足裏の前部分は母指球を意味し、使用者の足裏の後部分はかかとを意味し、使用者の足裏の中間部分は、足裏の母指球とかかとの間の領域を意味する。
【００５７】
特に、左側足置き台および右側足置き台３００それぞれは、第１支持部材３１０を第３支持部材３３０よりも低く形成することにより、使用者の足裏の前部分および後部分を互いに異なる高さに位置させ、そんきょ姿勢の効果を招来させることができる。したがって、左側足置き台および右側足置き台３００それぞれは、第１支持部材３１０および第３支持部材３３０により、使用者の臀部筋肉を弛緩させる排便姿勢を誘導することができる。
【００５８】
また、左側足置き台および右側足置き台３００それぞれは、第１支持部材３１０を第３支持部材３３０よりも低く形成することにより、使用者の臀部筋肉を弛緩させる排便姿勢を誘導する過程において、使用者の便宜を図ることもできる。
【００５９】
例えば、第２支持部材３２０が第１支持部材３１０および第３支持部材３３０を連結するように傾いて形成されることにより、使用者の足裏の中間部分を安定的に支持してよい。また、第２支持部材３２０は、使用者の足裏の中間部分が密着するように曲線型に形成されてもよい。
【００６０】
他の例として、第１支持部材３１０、第２支持部材３２０、または第３支持部材３３０のうちの少なくともいずれか１つの表面には、使用者の足裏が滑り落ちることを防ぐための突起が形成されてよい。ここで、突起は、滑り止めとしてだけでなく、使用者の足裏の指圧効果を招来することもできる。さらに、第１支持部材３１０は、使用者の足裏の前部分のずれ落ちを防ぐずれ止めストッパ３１１を含んでもよい。
【００６１】
さらに他の例として、第１支持部材３１０および第３支持部材３３０は、地面に対して水平に形成されることにより、使用者に安定感を与えることができる。
【００６２】
このとき、第１支持部材３１０は、地面に対して水平に形成される他にも、使用者の足裏の前部分が折れ曲がる角度に基づいて地面に対して微細に傾くように形成されることにより、使用者に安定感を与えながらも、使用者の足裏の前部分に重心がかかることによるずれ落ちを防ぐこともできる。
【００６３】
また、便器用足置き台が左側足置き台および右側足置き台を含まず、使用者の左足と右足の両足を載置する１つの足置き台を含む場合も同じように、１つの足置き台は、使用者の足裏の前部分を支持する第１支持部材３１０、使用者の足裏の中間部分を支持する第２支持部材３２０、および使用者の足裏の後部分を支持する第３支持部材３３０を含んでよい。ここで、１つの足置き台に含まれる第１支持部材３１０、第２支持部材３２０、および第３支持部材３３０は、上述したような左側足置き台および右側足置き台３００それぞれに含まれる場合とその構造および機能が同じであるため、これについての詳細な説明は省略する。
【００６４】
図４は、一実施形態における、便器用足置き台に含まれる高さ調節層を説明するための図である。
【００６５】
図４を参照すると、一実施形態に係る高さ調節層４００は、図３ａ〜図３ｃを参照しながら上述した基本層の下部に結合させることで、便器用足置き台の高さを高めることができる。
【００６６】
したがって、高さ調節層４００を適応的に結合または分離させることができる基本層を含む便器用足置き台は、使用者の身長または足の長さなどのような身体的構造を考慮しながら使用者の排便姿勢を誘導することができる。
【００６７】
以上、高さ調節層４００が左側足置き台および右側足置き台にそれぞれ１つずつ含まれる場合について説明したが、これに制限されたり限定されたりすることはなく、左側足置き台および右側足置き台それぞれに複数が含まれてもよい。
【００６８】
例えば、高さ調節層４００が２つ備えられる場合、第１高さ調節層は基本層の下部に結合させ、第２高さ調節層は第１高さ調節層の下部に結合させることにより、便器用足置き台の高さをさらに高めることができる。
【００６９】
図５ａは、一実施形態における、便器用足置き台に含まれる連結フレームを示した図である。
【００７０】
図５ａを参照すると、一実施形態に係る便器用足置き台に含まれる左側足置き台および右側足置き台は、連結フレーム５００によって互いに連結してよい。
【００７１】
ここで、連結フレーム５００は、左側足置き台および右側足置き台の幅間または角度のうちの少なくともいずれか１つを調節するように、少なくともいずれか１つのフレームで構成されてよい。
【００７２】
例えば、連結フレーム５００は、ヒンジ結合する複数のフレーム５１０、５２０で構成されてよい。複数のフレーム５１０、５２０がヒンジ結合する角度が制御されることにより、連結フレーム５００は、左側足置き台および右側足置き台の幅間または角度のうちの少なくともいずれか１つを調節することができる。
【００７３】
図面には、連結フレーム５００である２つのフレーム５１０、５２０がヒンジ結合する場合を示しているが、これに制限されたり限定されたりすることはなく、３つ以上のフレームをヒンジ結合させてもよい。
【００７４】
また、連結フレーム５００を構成する複数のフレーム５１０、５２０は、両端部分にはヒンジ結合のための突出部および孔が形成され、中間部分（中間部分とは、両端部分を除いた残りの部分を意味する）は、折れ曲がった構造を有してよい。したがって、複数のフレーム５１０、５２０それぞれが、個数に制限なくユニットに結合して連結フレーム５００を構成することができる。
【００７５】
また、連結フレーム５００を構成する複数のフレーム５１０、５２０それぞれの中間部分には、左側足置き台および右側足置き台それぞれに含まれる基本層または高さ調節層のうちの少なくともいずれか１つに結合可能なように締結溝５３０が形成されてよい。これにより、連結フレーム５００は、締結溝５３０を介して基本層または高さ調節層のうちの少なくともいずれか１つと結合することができる。これについての詳細な説明は、図５ｂを参照しながら記載する。
【００７６】
図５ｂは、一実施形態における、連結フレームが左側足置き台および右側足置き台それぞれと結合する方式を説明するための図である。以下では、１つのフレームで構成される連結フレーム５００が左側足置き台５４０と結合する場合について説明するが、これに制限されたり限定されたりすることはなく、同じ方式によって右側足置き台と結合してもよい。また、上述される結合方式は、図５ａに示すように、連結フレーム５００が複数のフレームで構成される場合にも同じように適用されてよい。
【００７７】
連結フレーム５００には、左側足置き台５４０との結合のための締結溝５３０が形成され、左側足置き台５４０の外壁には、締結溝５３０とは逆の形状の溝５４１が形成される。これにより、連結フレーム５００の締結溝５３０が左側足置き台５４０の溝５４１と上下に締結することにより、連結フレーム５００と左側足置き台５４０を結合させることができる。
【００７８】
したがって、連結フレーム５００を左側足置き台５４０に結合させた後には、使用者が左側足置き台５４０を床から離さずに前後左右に動かしたとしても、左側足置き台５４０と連結フレーム５００は離脱しない。
【００７９】
すなわち、連結フレーム５００と左側足置き台５４０を上下に締結させる締結溝５３０および溝５４１によって結合するため、使用者が便器用足置き台を使用するときに連結フレームが離脱することを防ぐことができる。
【００８０】
同じように、連結フレーム５００の締結溝５３０が右側足置き台の溝と上下に締結することにより、連結フレーム５００と右側足置き台も結合するようになる。
【００８１】
特に、図に示すように、連結フレーム５００上に複数の締結溝５３０が形成され、左側足置き台５４０および右側足置き台それぞれが複数の締結溝のうちのいずれか１つの締結溝と任意に結合することにより、結合の長さ（左側足置き台５４０および右側足置き台それぞれと結合する締結溝の長さ）が調節されてよい。したがって、左側足置き台５４０と右側足置き台の幅間を調節することができる。
【００８２】
また、図に示してはいないが、左側足置き台５４０の下部に結合する高さ調節層の外壁にも溝が形成されることにより、連結フレーム５００は、左側足置き台５４０（基本層）と結合する方式と同じように、高さ調節層と結合することもできる。
【００８３】
図６は、一実施形態における、便器用足置き台に含まれる滑り止め手段を示した図である。
【００８４】
図６を参照すると、一実施形態に係る滑り止め手段６００は、左側足置き台および右側足置き台それぞれに含まれる基本層または高さ調節層のうちの少なくともいずれか１つの底面（前方または後方のうちの少なくともいずれか１つ）に結合し、便器用足置き台の滑りを防ぐことができる。
【００８５】
したがって、滑り止め手段６００は、基本層の底面または高さ調節層の底面に結合／分離可能な構造で形成されてよい。例えば、滑り止め手段６００の上面には、基本層の底面または高さ調節層の底面のうちの一部分（前方または後方）に挿入される突出部が形成されてよい。
【００８６】
同じように、基本層の底面および高さ調節層の底面も、滑り止め手段６００が結合／分離可能なように支援する構造で形成されてよい。例えば、基本層の底面および高さ調節層の底面の前方および後方には、滑り止め手段６００の上面に形成された突出部が挿入する溝が形成されてよい。
【００８７】
また、滑り止め手段６００は、複数が備えられ、基本層の底面または高さ調節層の底面に複数が結合してよい。例えば、４つの滑り止め手段６００が備えられた場合は、基本層の底面または高さ調節層の底面の前方、後方、両サイドそれぞれに結合されてよい。このとき、滑り止め手段６００は、便器用足置き台が配置される空間の床面との摩擦係数を増加させる多様な材料で形成されてよい。また、滑り止め手段６００の底面には、便器用足置き台が配置される空間の床面との摩擦係数を増加させるように、点、線、または格子などの溝または突出部が形成されてもよい。
【００８８】
以上のように、実施形態を、限定された実施形態と図面に基づいて説明したが、当業者であれば、上述した記載から多様な修正および変形が可能であろう。
【００８９】
したがって、異なる実施形態であっても、特許請求の範囲と均等なものであれば、添付される特許請求の範囲に属する。
【図１】
2019506986.tif 000003
【図２】
2019506986.tif 000004
【図３ａ】
2019506986.tif 000005
【図３ｂ】
2019506986.tif 000006
【図３ｃ】
2019506986.tif 000007
【図４】
2019506986.tif 000008
【図５ａ】
2019506986.tif 000009
【図５ｂ】
2019506986.tif 000010
【図６】
2019506986.tif 000011
【国際調査報告】
2019506986.tif 000012
2019506986.tif 000013
2019506986.tif 000014
2019506986.tif 000015